(57)【特許請求の範囲】
【請求項１】
空洞およびテープ・ドアを有するデジタル線形テープ・カートリッジを、前記テープ・ドアが最後に受け装置に入る状態で正しい向きに前記受け装置に確実に設置するためのデジタル線形テープ・カートリッジ・ロックアウト装置であって、
前記デジタル線形テープ・カートリッジを受けるスリーブと、
該スリーブ内に取付けられ、前記デジタル線形テープ・カートリッジが、前記テープ・ドアが前記スリーブの外に面する状態で正しい向きに前記スリーブに挿入されるときに、前記デジタル線形テープ・カートリッジの経路の外に回転する旋回ロックアウト手段と、
を備えて成り、
前記テープ・ドアが前記スリーブの外に面する状態で前記デジタル線形テープ・カートリッジが正しい向きに前記スリーブに挿入されるときに、前記旋回ロックアウト手段の前縁が前記デジタル線形テープ・カートリッジの経路の外に回転し、
前記デジタル線形テープ・カートリッジが完全に挿入された位置に到達するにつれて前記旋回ロックアウト手段の尾が前記旋回ロックアウト手段を逆回転させ、
前記デジタル線形テープ・カートリッジが前記スリーブに完全に挿入されたとき、前記旋回ロックアウト手段の前縁が前記デジタル線形テープ・カートリッジの空洞の中に静止している、
ことを特徴とするデジタル線形テープ・カートリッジ・ロックアウト装置。
【請求項２】
前記旋回ロックアウト手段がピンにより前記スリーブ内に取付けられ、前記ピンの軸の周りを旋回することを特徴とする、請求項１に記載のデジタル線形テープ・カートリッジ・ロックアウト装置。
【請求項３】
空洞およびテープ・ドアを有するデジタル線形テープ・カートリッジを、旋回ロックアウト手段付きスリーブを有するデジタル線形テープ・カートリッジ受け装置に、前記テープ・ドアが前記スリーブの外に面する状態で、一方向にだけ挿入を可能にする方法であって、
前記デジタル線形テープ・カートリッジを、前記テープ・ドアが前記スリーブの外に面する状態で前記スリーブに挿入するステップと、
前記デジタル線形テープ・カートリッジの前表面が、前記旋回ロックアウト手段の前縁を前記デジタル線形テープ・カートリッジの経路の外に回転させるステップと、
前記デジタル線形テープ・カートリッジを前記スリーブの中に押し込むステップと、
を備えて成り、
前記デジタル線形テープ・カートリッジの前記前表面が、前記デジタル線形テープ・カートリッジが前記スリーブの中の完全に挿入された位置に移動するにつれて、前記旋回ロックアウト手段の尾を逆回転させ、
前記旋回ロックアウト手段の前記前縁が、前記デジタル線形テープ・カートリッジが前記スリーブの中の完全に挿入された位置に移動するにつれて、前記デジタル線形テープ・カートリッジの空洞の中に入れ子にされる、
ことを特徴とする方法。
【請求項４】
空洞とテープ・ドアを有するデジタル線形テープ・カートリッジを、前記テープ・ドアが最後に受け装置に入る状態で正しい向きに前記受け装置に確実に設置するためのデジタル線形テープ・カートリッジ・ロックアウト装置であって、
前記デジタル線形テープ・カートリッジを受けるスリーブと、
該スリーブ内の旋回軸に取り付けられ、前記テープ・ドアが前記スリーブの外に面する状態で前記デジタル線形テープ・カートリッジが正しい向きに前記スリーブに挿入されるときに、前記デジタル線形テープ・カートリッジの経路の外に回転することのできる旋回ロックアウト手段と、
を備えて成り、
該旋回ロックアウト手段は、第１の端と、前記旋回軸に関して前記第１の端の反対側に設けられた第２の端とを有し、
該第２の端が、前記旋回ロックアウト手段の前記第１の端を回転させ、それにより、前記デジタル線形テープ・カートリッジが、完全に、前記スリーブ内に挿入されたとき、前記第１の端が、少なくとも部分的に前記デジタル線形テープ・カートリッジの前記空洞内に位置するようにされる、
ことを特徴とする、デジタル線形テープ・カートリッジ・ロックアウト装置。
【請求項５】
へこみが形成されたカートリッジと、旋回軸に旋回可能に取り付けられた旋回部材を有するカートリッジ受け装置と、を備えて成るロックアウト装置であって、
前記旋回部材は、第１の端と、前記旋回軸に関して前記第１の端の反対側に設けられた第２の端とを有し、
前記ロックアウト装置は、少なくとも第１の動作状態と第２の動作状態とを有し、
前記第１の動作状態において、
前記カートリッジが、カートリッジ挿入経路に沿って、前記カートリッジ受け装置に、部分的に挿入され、
前記旋回部材の第２の端が、前記カートリッジの挿入経路をふさいでおり、
前記第２の動作状態において、
前記カートリッジが、前記カートリッジ受け装置に完全に挿入され、
前記旋回部材の第２の端が、前記カートリッジ挿入経路をふさいでおらず、
前記旋回部材の第１の端の少なくとも一部が、前記カートリッジの前記へこみ内にある、
ことを特徴とする、ロックアウト装置。
【発明の詳細な説明】
【０００１】
【発明の属する技術分野】
本発明は、一般にデジタル線形テープ・カートリッジに関し、更に詳細に記せば、デジタル線形テープ・カートリッジを、テープ・マガジン、ライブラリ、ピッカ、またはメール・スロットのような装置に入れたときデジタル線形テープ・カートリッジの正しい向きを確保するための手段に関する。
【０００２】
【従来の技術】
通常、デジタル線形テープ・カートリッジは、着脱可能なまたは固定のカートリッジ・マガジン、自動テープ・カートリッジ・ピッカ、ライブラリ、オートチェンジャー、メール・スロット、などのような、受け装置の中に、カートリッジのテープ・ドア側を受け装置の中に向けて、すなわち、カートリッジのテープ・ドア側が最初に受け装置の中に入るようにして、設置される。カートリッジのテープ・ドア側が最初に受け装置の中に入るようにするため突出タブ装置が通過できるようにする偏りスロットが現時点で存在している。
【０００３】
【発明が解決しようとする課題】
しかし、デジタル線形テープ・カートリッジを、カートリッジのテープ・ドア側を受け装置の外に向けて、すなわち、カートリッジのテープ・ドア側が最後に受け装置の中に入るようにして、受け装置の中に設置したい場合が存在することがある。デジタル線形テープ・カートリッジの性格のため、これには、テープ・カートリッジが受け装置にテープ・ドア側が最後に受け装置の中に入る（テープ・ドアが外側に向いている）新しい所要の向きに確実に挿入される新しいロックアウト機構が必要である。テープ・カートリッジが受け装置にテープ・ドア側が最後に受け装置の中に確実に挿入される（テープ・ドアが外側に向いている）デジタル線形テープ・カートリッジ用ロックアウト機構の方法を得ることが望ましい。
【０００４】
【課題を解決するための手段】
本発明の上述のおよび他の局面は、ピンの周りを回転する旋回ロックアウトの付いた受けスリーブを設けた装置により達成される。旋回ロックアウトは、カートリッジが正方形デジタル線形テープ・カートリッジを挿入できる可能な七つの不正の向きで受けスリーブに挿入されれば、カートリッジ本体を妨害する。旋回ロックアウトは、テープ・カートリッジが、テープ・ドア側が最後に受けスリーブの中に入る正しい向きで受けスリーブの中に挿入されるときにデジタル線形テープ・カートリッジの経路から外へ自由に旋回する。
【０００５】
上述のおよび他の目的、特徴、および長所は、添付図面と関連して提示した、本発明の下記の更に詳細な説明を読むことにより更によく理解されるであろう。
【０００６】
【発明の実施の形態】
図１−図３は、着脱可能なまたは固定のカートリッジ・マガジン、ライブラリ、オートチェンジャ、メール・スロット、など（図示せず）のような、受け装置のスリーブ１００に挿入されている途中のデジタル線形テープ（ＤＬＴ）カートリッジ１０６を示す。ＤＬＴカートリッジ１０６が、テープ・ドア側１０８がスリーブ１００の外に面した状態で受け装置のスリーブ１００に入るにつれて、ＤＬＴカートリッジ１０６の隅１２２が旋回ロックアウト１０４の傾斜前縁１１４に接触する。ＤＬＴカートリッジ１０６が受け装置のスリーブ１００に挿入されるにつれて、隅１２２が旋回ロックアウト１０４の傾斜前縁１１４に沿って滑り、旋回ロックアウト１０４を、旋回ロックアウト１０４の前縁が、ＤＬＴカートリッジ１０６がスリーブ１００に滑り込むにつれてＤＬＴカートリッジ１０６の経路の外に移動するように、回転させる。ＤＬＴカートリッジ１０６がスリーブ１００に更に滑り込むにつれて、ＤＬＴカートリッジ１０６の隅１２２が旋回ロックアウト１０４の尾１１８の傾斜前縁１２４に接触する。これにより、旋回ロックアウト１０４の前縁１１４がＤＬＴカートリッジ１０６の空洞１１６の内側に静止し且つ尾１１８がＤＬＴカートリッジ１０６の側面１２６に沿って静止するまで、旋回ロックアウト１０４が反対方向に回転する。旋回ロックアウト１０４はピン１０２の周りを回転するが、回転移動を可能とするリベット、小ねじ、または他の締め付け手段の周りを回転することもできる。
【０００７】
スリーブ１００を、鋼またはアルミニウムを含むがこれに限定されない、金属またはプラスチックのような、広い範囲のどんな材料からでも作ることができる。製造および費用の低減に関連して、スリーブ１００を好適には、重量でカーボン１０％およびテフロン１０％のポリカーボネート・プラスチックのような、熱可塑性樹脂材料から作って摩擦および磨耗を減らすが、他のモールドし得るプラスチックをも使用してよい。旋回ロックアウト１０４も金属またはプラスチックのような、広い範囲のどんな材料からでも作ることができる。旋回ロックアウト１０４は好適には、重量で３０％のカーボンと１５％のテフロンとを含むナイロン６／１０プラスチックから作られ、ＤＬＴカートリッジ１０６との摩擦および磨耗を減らしているが、他のモールドし得るプラスチックをも使用できる。ピン１０２を、金属またはプラスチックのような、広い範囲のどんな材料からでも作ることができる。ピン１０２を、好適には市場で入手できる標準の鋼だぼピンから作るが、他の材料をも使用できる。旋回ロックアウト１０４またはスリーブ１００を射出成形プラスチック部品とすれば、ピン１０２を、これら二つの部品の一方にモールドした形体とすることにより、別々の部品として省略することさえできる。
【０００８】
図４は、旋回ロックアウト１０４の前縁１１４がＤＬＴカートリッジ１０６の空洞１１６の中に静止し、旋回ロックアウト１０４の尾１１８がＤＬＴカートリッジ１０６の側面１２６に沿って静止している状態でスリーブ１００に完全に挿入されているＤＬＴカートリッジ１０６の破断斜視図を示す。また、テープ・ドア１０８がスリーブ１００の外に面している。尾１１８の下縁に棚１１２を追加することができる。したがって、オペレータがＤＬＴカートリッジ１０６をテープ・ドア１０８が内側を向いた状態で挿入しようとすれば、リム１１２がＤＬＴカートリッジ１０６の側壁１２８に接触したままでそれに沿って滑り、ＤＬＴカートリッジ１０６がスリーブ１００に挿入されるとき旋回ロックアウト１０４が回転しないようにする。
【０００９】
図４で見ることができるように、旋回ロックアウト１０４はスリーブ１００の中で一方の側の方に偏り、ロックアウトの前縁１１４がＤＬＴカートリッジ１０６の空洞１１６の中のリブ１１０に接触しないようになっている。また、オペレータがＤＬＴカートリッジ１０６をテープ・ドア１０８を内側に向けて挿入しようとすれば、旋回ロックアウト１０４の前縁１１４が空洞１１６の中にあるリブ１１０を捕らえる。オペレータがＤＬＴカートリッジ１０６をスリーブ１００に押し込もうとすれば、リブ１１０が旋回ロックアウト１０４に回転力を作り出すが、側壁１２８が、尾１１８の棚１１２に接触して、旋回ロックアウト１０４が回転するのを防止する。したがって、ＤＬＴカートリッジ１０６は、テープ・ドア１０８がスリーブ１００の中に向いた状態でスリーブ１００に完全に挿入することができない。
【００１０】
カートリッジを受け装置に挿入できるだけであるようにＤＬＴカートリッジの挿入をロックアウトする提示した解法は、受け装置のスリーブ１００の内部に完全に入っていることにも注目すべきである。ＤＬＴカートリッジは変っていない。この解法は、現存するＤＬＴカートリッジに既に存在している特徴を使用しているだけである。したがって、オペレータがＤＬＴカートリッジを、テープ・ドア１０８が本発明によるスリーブを備えた受け装置以外の受け装置の中に面した状態で挿入したければ、ＤＬＴカートリッジを、テープ・ドア１０８が内側を向いた状態で受け装置に挿入することができる。
【００１１】
本発明のこれまでの説明は、例示および説明の目的で提示してきた。本発明を徹底的に説明したり、本発明を開示した精密な形体に限定しようとするつもりはなく、他の修正案および変形案が上の教示に照らして可能である。たとえば、スリーブ１００、ピン１０２、および旋回ロックアウト１０４を開示した材料以外の既知のどんな硬い材料からでも作ることができる。実施形態は、本発明の原理およびその実用的用途を最も良く説明し、それにより当業者がさまざまな実施形態およびさまざまな修正案の形を成す本発明を考えている特定の使用法に適するとして最も良く利用できるようにするために選定し説明した。
【００１２】
以上、本発明の実施例について詳述したが、以下、本発明の各実施態様の例を示す。
【００１３】
[実施態様１]テープ・ドア（108）を有するデジタル線形テープ・カートリッジ（106）を、テープ・ドア（108）が最後に受け装置に入る状態で正しい向きに受け装置に確実に設置するためのデジタル線形テープ・カートリッジ・ロックアウト装置であって、前記デジタル線形テープ・カートリッジ（106）を受けるスリーブ（100）と、前記スリーブ（100）内に取付けられ、前記デジタル線形テープ・カートリッジ（106）が、テープ・ドア（108）がスリーブ（100）の外に面する状態で正しい向きに挿入されるときに前記デジタル線形テープ・カートリッジ（106）の経路の外に回転する旋回ロックアウト（104）と、を備えて成ることを特徴とする、デジタル線形テープ・カートリッジ・ロックアウト装置。
【００１４】
［実施態様２］
前記旋回ロックアウト（１０４）がピン（１０２）により前記スリーブ（１００）内に取付けられ、前記ピン（１０２）の軸の周りを旋回することを特徴とする、実施態様１に記載のデジタル線形テープ・カートリッジ・ロックアウト装置。
【００１５】
［実施態様３］
前記スリーブ（１００）がプラスチックから作られていることを特徴とする、実施態様１に記載のデジタル線形テープ・カートリッジ・ロックアウト装置。
【００１６】
[実施態様４]前記旋回ロックアウト（104）の前縁（114）が、前記デジタル線形テープ・カートリッジ（106）が、前記テープ・ドア（108）が前記スリーブ（100）の外に面する状態で正しい向きに挿入されるときに、前記デジタル線形テープ・カートリッジ（106）の経路の外に回転することを特徴とする、実施態様１に記載のデジタル線形テープ・カートリッジ・ロックアウト装置。
【００１７】
［実施態様５］
前記旋回ロックアウト（１０４）の尾（１１８）が、前記デジタル線形テープ・カートリッジ（１０６）が完全に挿入された位置に到達するにつれて前記旋回ロックアウト（１０４）を逆回転させることを特徴とする、実施態様４に記載のデジタル線形テープ・カートリッジ・ロックアウト装置。
【００１８】
［実施態様６］
前記旋回ロックアウト（１０４）の前縁（１１４）が、前記デジタル線形テープ・カートリッジ（１０６）が前記スリーブ（１００）に完全に挿入されたとき、前記デジタル線形テープ・カートリッジ（１０６）の空洞（１１６）の中に静止していることを特徴とする、実施態様５に記載のデジタル線形テープ・カートリッジ・ロックアウト装置。
【００１９】
［実施態様７］
テープ・ドア（１０８）を有するデジタル線形テープ・カートリッジ（１０６）を、旋回ロックアウト（１０４）付きスリーブ（１００）を有するデジタル線形テープ・カートリッジ受け装置に、前記テープ・ドア（１０８）が前記スリーブ（１００）の外に面する状態で、一方向にだけ挿入を可能にする方法であって、
前記デジタル線形テープ・カートリッジ（１０６）を、前記テープ・ドア（１０８）が前記スリーブ（１００）の外に面する状態で前記スリーブ（１００）に挿入するステップと、
前記デジタル線形テープ・カートリッジ（１０６）の前表面（１２２）が、前記旋回ロックアウト（１０４）の前縁（１１４）を前記デジタル線形テープ・カートリッジ（１０６）の経路の外に回転させるステップと、
前記デジタル線形テープ・カートリッジ（１０６）を前記スリーブ（１００）の中に押し込むステップと、
を備えて成り、前記デジタル線形テープ・カートリッジ（１０６）の前記前表面（１２２）が、前記デジタル線形テープ・カートリッジ（１０６）が前記スリーブ（１００）の中の完全に挿入された位置に移動するにつれて、前記旋回ロックアウト（１０４）の尾（１１０）を逆回転させ、
前記旋回ロックアウト（１０４）の前記前縁（１１４）が、前記デジタル線形テープ・カートリッジ（１０６）が前記スリーブ（１００）の中の完全に挿入された位置に移動するにつれて、前記デジタル線形テープ・カートリッジ（１０６）の空洞（１１６）の中に入れ子にされる、
ことを特徴とする方法。
【００２０】
[実施態様８]デジタル線形テープ・カートリッジ受け装置のためのデジタル線形テープ・カートリッジ・ロックアウト装置を製造する方法であって、該デジタル線形テープ・カートリッジ・ロックアウト装置は、前記デジタル線形テープ・カートリッジ（106）を、前記デジタル線形テープ・カートリッジ（106）のテープ・ドア（108）が前記デジタル線形テープ・カートリッジ受け装置の外に面している状態で一方向にだけ前記デジタル線形テープ・カートリッジ受け装置への挿入を可能にする方法であって、前記デジタル線形テープ・カートリッジ（106）を前記デジタル線形テープ・カートリッジ受け装置の中に受けるためのスリーブ（100）を設けるステップと、旋回ロックアウト（104）を設けるステップと、前記デジタル線形テープ・カートリッジ（106）が、前記テープ・ドア（108）が前記スリーブ（100）の外に面している状態で所定の向きに前記スリーブ（100）の中に挿入されるときに前記デジタル線形テープ・カートリッジ（106）の経路の外に前記旋回ロックアウト（104）が回転できるように、前記旋回ロックアウト（104）を前記スリーブ（100）の中に取付けるステップと、を備えて成り、前記旋回ロックアウト（104）は、前記デジタル線形テープ・カートリッジ（106）が前記テープ・ドア（108）が前記スリーブ（100）の外に面している前記所定の向き以外の向きで前記スリーブ（100）に挿入されるとき、前記デジタル線形テープ・カートリッジ（106）の経路の外に回転することができない、ことを特徴とする方法。
【００２１】
【発明の効果】
以上説明したように、本発明を用いることにより、テープ・カートリッジを所定の正しい向きでテープ・カートリッジ受けスリーブに挿入することができる。
【図面の簡単な説明】
【図１】テープ・ドアが最後に受けスリーブに入るようにして受けスリーブに挿入され始めている本発明に従うデジタル線形テープ・カートリッジの上面図である。
【図２】テープ・ドアが最後に受けスリーブに入るようにして受けスリーブに挿入されている途中の本発明に従うデジタル線形テープ・カートリッジの上面図である。
【図３】テープ・ドアが最後に受けスリーブに入るようにして受けスリーブに完全に挿入された本発明に従うデジタル線形テープ・カートリッジの上面図である。
【図４】テープ・ドアが最後に受けスリーブに入るようにして受けスリーブに完全に挿入された本発明に従うデジタル線形テープ・カートリッジの斜視図である。
【符号の説明】
１００：スリーブ
１０２：ピン
１０４：旋回ロックアウト
１０６：デジタル線形テープ・カートリッジ
１０８：テープ・ドア
１１４：旋回ロックアウトの前縁
１１６：空洞
１１８：旋回ロックアウトの尾
１２２：テープ・カートリッジの前表面
【図１】
0003576046.tif 000002
【図２】
0003576046.tif 000003
【図３】
0003576046.tif 000004
【図４】
0003576046.tif 000005